Podtech/llm-jp-corpus-v4-ja_patent huggingface dataset:
(57)【要約】      （修正有）【課題】使用時に、酸製剤を水に溶融した液剤を噴霧するか含浸すると二酸化塩素が発生し、長時間使用できる、抗菌、抗かび、消臭ウエットシートを提供する。【解決手段】二酸化塩素を化学反応によって発生する素材として最も普及している亜塩素酸ナトリウム溶液を、長時間使用できるようにシリカのマイクロカプセルに含浸して、樹脂バインダーと粒子分散剤と混合した液を、噴霧コート剤とし、不織布、綿、紙などのシート状物質にコーティングし乾燥させたドライシートを作成する。マイクロカプセル化による除放性により、長時間二酸化塩素が生成され酸素が発生する仕組みとなる。また、洗浄成分もコーティングすれば、洗浄、除菌、消臭、抗かびシートそしてその用途が広がる。【選択図】図１
0003161304.tif 000002
【実用新案登録請求の範囲】
【請求項１】
（イ）亜塩素酸ナトリウム溶液を、マイクロカプセル化し、樹脂バインダーや分散剤と混合して噴霧コート剤とし、（ロ）各種不織布や綿や紙類などのシート状物質に塗布した後乾燥させ、（ハ）使用時に、酸類を溶かした水溶液を塗布するか、含浸させて二酸化塩素を生成し、発生する酸素により抗菌、抗かび、消臭機能を有するドライシート。
【請求項２】
洗浄剤を各種不織布や綿、紙類等のシート状物質に塗布した請求項１のドライシート。
【請求項３】
使用時に、クエン酸、リンゴ酸、コハク酸、フマール酸、希塩酸、硫酸水素ナトリウムなどの様々な酸類の希釈液を塗布するか、含浸させると二酸化塩素が生成され、発生する酸素により抗菌、抗かび、消臭する請求項１のドライシート。
【考案の詳細な説明】
【考案の詳細な説明】
【産業上の利用分野】
従来厨房の調理台などに使用される食品関係の抗菌剤は、９０％以上が次亜塩素酸ナトリウムなどの塩素系の抗菌剤であり、その毒性は小さじ一杯飲めば赤ちゃんが死ぬと言われるぐらい強く、欧米では、酸素で抗菌する二酸化塩素の使用が奨励されている。本考案は、その二酸化塩素をマイクロカプセル化することにより、使用時に抗菌、抗かび、消臭機能を簡便な方法で発揮させしかもマイクロカプセル化による除放性により長時間その機能を発揮するシート状物質であることが必要でしかも輸送や海外輸出を考慮した場合ドライタイプであることも望まれる。最近、ノロウイルスやインフルエンザウイルス、そしてＯ−１５７やサルモネラ菌など食中毒や感染症などが食事を通じて人々に感染を広めている問題があり、簡便で安全でしかも強力な抗菌力のあるシート状物質を抗菌ダスターとして使用することは、必要不可欠と言える。またこのシートに、同時に洗浄剤（石鹸化したものも良い）をコーティングすると、洗浄、除菌、消臭、抗かびのドライシートができ、利用分野が大きく広がる。
【背景技術】従来二酸化塩素は、液体であり抗菌力を発揮する酸素の気化が早く２カ月〜３カ月で消滅し効力を失うもので、多くは液体をすぐ使用するか二酸化塩素生成装置を現場に導入し、使用時に精製する以外ありませんでした。これでは非常に使い勝手が悪く、ダスターやタオルその他のシート状物質を作成することは不可能であった。
【発明が解決しようとする課題】
従って本考案が解決しようとする課題は、簡便で必要な時に使用できる抗菌、抗かび、消臭シートをドライタイプで作成しなければならない。しかも長時間機能を発揮できるものがより望ましい。
【課題を解決する為の手段】
この課題の解決には、二酸化塩素を化学反応により生成する素材ＡとＢのうち、Ａを予めシート状物質に塗布コーティングした後乾燥してドライタイプにし、使用時にＢ剤の溶液を噴霧塗布するか含浸させると実現できる。しかし二酸化塩素は、発生する酸素は短時間に気化し長時間の使用に耐えることが出来ない、従ってマイクロカプセル化しその除放性を生かし長時間使用可能にすることが出来る。以上のことから、ドライタイプのシート状物質は、使用時に簡便にしかも長時間使用できることが可能になる。
【考案の作用】
本考案は、基本的には（イ）〜（ハ）の手段から成り立っている。イ）亜塩素酸ナトリウム溶液を、マイクロカプセル化し、樹脂バインダーや分散剤と混合して噴霧コート剤としロ）各種不織布や綿や紙類などのシート状物質に塗布した後乾燥させ、ハ）使用時に、酸類を溶かした水溶液を塗布するか、含浸させて二酸化塩素を生成し、発生する酸素により抗菌、抗かび、消臭機能を有するシートにする。本発考案に於いて使用する亜塩素酸ナトリウム溶液は、９８％濃度の粉体を水に溶融するか、一般に歯磨きの漂白剤として使用される２０％濃度の溶液などを使用する。バインダー樹脂成分は、繊維用としては、無機粉体の分散性に優れたアクリル酸エステル共重合エマルジョンやその他の安全な樹脂、または他の繊維用バインダーもある。マイクロカプセルの分散を均等化するための分散剤や、対象によっては柔軟性を上げるための柔軟剤の添加も必要である。スプレー容器は、通常のプラスチック製、ガラス製、金属製のボトル容器にハンドスプレーを付けたもの、あるいはガス封入のスプレーなど用途に応じて様々なスプレーを使用するか、塗装用のスプレー装置など様々な噴霧装置が使用できる。また噴霧にこだわらず、塗りつける、または含浸することでも良い。本発考案に於いては、噴霧定着させる溶液の構成は、亜塩素酸ナトリウムのマイクロカプセル３重量〜５重量部が含まれた水溶液５０重量部に、バインダー樹脂成分１０重量部、分散剤３重量部、水３７重量部の比で混合された溶液であり、また使用時に噴霧または含浸させる酸性液は、クエン酸、リンゴ酸、フマール酸、硫酸水素ナトリウム、希塩酸などの各種酸溶液のうち一種類を５重量部から２０重量部を８０重量部から９５重量部の水に溶かしたものである。
【実施例】亜塩素酸ナトリウム２０％溶液を２ミクロンのシリカマイクロカプセルに含浸し、そのマイクロカプセル化したものを５％を１０％のバインダーと３％の分散剤に混合し、８２％の水に溶かした噴霧用コート剤を作成する。そのコート剤を厚さ２ミリ３００ミリ四方の綿不織布シート両面に５０ｃｃ噴霧コーティングし、天日で乾燥させた。使用時に、上記二酸化塩素コート剤を噴霧乾燥させた面不織布シートに、２０％濃度のクエン酸溶液を１０ｃｃ程度噴霧した。二酸化塩素測定器で測定すると約２０ｐｐｍの濃度の二酸化塩素がクエン酸溶液を噴霧する度に発生し、１２時間程度発生が継続できた。一般データー上では、ノロウイルスは４ｐｐｍ濃度で１２０秒、サルモネラ菌や大腸菌は３ｐｐｍ濃度で２０秒、インフルエンザウィルスは１ｐｐｍ濃度で１５秒で完全死滅する。したがって２０ｐｐｍ濃度が発生すれば十分死滅すると言える。また、このシートに洗浄剤成分として活性化ダイズ脂肪酸水溶液を苛性カリでＰＨ：９．５に調整した洗浄成分を塗布すると、洗浄、除菌、消臭、防かびシートして使用出来た。使用時の安全性を勘案して、合成界面活性剤は使用しなかった。
【図面の簡単な説明】
【図１】は、ドライタイプのシート状物質平面図である。
【図２】は、ドライタイプのシート状物質の断面図である。
【図１】
0003161304.tif 000003
【図２】
0003161304.tif 000004
(57)【要約】      （修正有）【課題】ペーパーカット後、ホルダー側に逆三角形のペーパーが出来、次のペーパーを取り出しやすいトイレットペーパーを提供する。【解決手段】トイレットペーパーの中心部左右にミシン目をＶ字形に入れることにより、次に使用する人がトイレットペーパーの中心部の三角部を指で掴みやすく取り出しやすくしたことを特徴とするトイレットペーパー・３角ミシン目システム。【選択図】図１
0003161306.tif 000002
【実用新案登録請求の範囲】
【請求項１】
トイレットペーパーを切断するミシン目を設け、該、トイレットペーパー幅の左右に直線のミシン目を、トイレットペーパーの中心部左右にＶ字形のミシン目を設け、切断した後に、Ｖ字形の切断面を残したことを特徴とするトイレットペーパー・３角ミシン目システム。
【考案の詳細な説明】
【技術分野】
【０００１】  この考案は、トイレットペーパーの切断するためのミシン目に関する。
【背景分野】
【０００２】  従来のトイレットペーパーには主に二種類あり、その一つは、芯材を中心に用紙をロール状に巻回してなるトイレットペーパーで、用紙の厚さがやや厚手のものは一枚、薄手のものは二枚とし、切断、分離手段としてのミシン目を約２５ｃｍ〜３０ｃｍの間隔毎に形成するかまたは、ミシン目を設けていないものがあり、これをトイレルーム便座の前面壁または側面壁に固定した、カッターを兼ねた押え板付きのホルダーに装着しており、ミシン目があるものを使用する時は、一方の手で押え板を持ち上げ、他方の手で用便の種類（排便または排尿）に応じて所望の長さに用紙を引き出し、折り畳みながら厚さを調整し、ミシン目を利用して切り取り、これを使用している
そして、トイレットペーパーのミシン目が直線（水平）である為、ミシン目どうりにペーパーをカットすると、カット後のペーパー（ホルダー側）の先端がホルダーの先端と重なり、次のペーパーが取り出しずらいのが現状である。また、ユニットバス内に設置されてるトイレットペーパーは湿気を帯び易く、カット後のペーパー（ホルダー側）がさらに取り出しづらいなどがあり、次回の使用時、次の人の使用を考えたときペーパー先端が綺麗に切断され、先端が常につまみ出すことができるように先端を提供されているロールペーパーが要求されている。
【先行技術文献】
【特許文献】
【０００３】
【特許文献１】  特開２００５−２９６５８８
【考案の概要】
【考案が解決しようとする課題】
【０００４】  以前のものは次のような欠点があった。必要使用量を引き出したあとロールペーパーを切断する時、切断片の方をもう一方の手で押さえつけて切断しなければならない。又ミシン目付きロールペーパー専用のロールペーパーホルダーではなかったため、ミシン目付きロールペーパーを使用すると斜めに破れたりすることがままあり再度切断しなおさなければ綺麗に使えないなど、これらの欠点を解決しようとするものである。
【問題を解決するための手段】
【０００５】  本考案は、次のようにして解決している。
１  トイレットペーパー（３角ミシン目システム）は、トイレットペーパー１、直線（水平）のミシン目２、１５５°のミシン目３、逆三角形のミシン目４により構成され、逆三角形のミシン目４はトイレットペーパーの幅に対して中心に来るようにする。
２  トイレットペーパー１をペーパーホルダー５にセットする。
３  ミシン目をペーパーホルダーの先端に合わせて、ペーパーをカットする６。
４  ペーパーカット後のホルダー側のペーパーの形状７。
５  この逆三角形の部分をつまんで次のペーパーを取り出す。
６  ２から４までのミシン目は、トイレットペーパー３０ｍから５０ｍの長さに対して、２０ｃｍから３０ｃｍ間隔でいれる。
【考案の効果】
【０００６】  上述の様に、トイレットペーパーは使用頻度が高く、故により快適な使用と省エネが求められるが、本システムの効果は次のように顕著に現れる。
１  ペーパーカット後、ホルダー側に逆三角形のペーパーが出来るので、次のペーパーを取り出しやすい。
２  ユニットバス内に設置され、湿気を帯びるトイレットペーパーにも上記１と同等の効果を得ることが可能となる。
３  トイレットペーパーをカットする時、又、ホルダー側からトイレットペーパーをとりだす時に、カットの失敗や、取り出しの失敗がないので、非常に効率がよく、省エネをも可能とする。
【図面の簡単な説明】
【０００７】
【図１】  トイレットペーパーの斜視図
【図２】  ペーパーホルダーに取付けた写真
【図３】  ミシン目にそってカットした写真
【図４】  カット後のペーパーの形状写真
【図５】  ミシン目の他の例Ａ
【図６】  ミシン目の他の例Ｂ
【図７】  ミシン目の他の例Ｃ
【図８】  ミシン目の他の例Ｄ
【図９】  ミシン目の他の例Ｅ
【図１０】  ミシン目の他の例Ｆ
【考案を実施する為の形態】
【０００８】  トイレットペーパーの場合は、三角ミシン目トイレットペーパーをトイレットペーパーホルダーにセットする。そして、トイレ使用後、ミシン目にあわせてトイレットペーパーをカットし、トイレ使用後のペーパーとして使用する。すると、次のペーパー（ホルダー側）の先端が逆三角形になり、浮き上がるので、次のトイレの人は、その部分を指でつまんでペーパーを引き出し、次のミシン目でペーパーをカットして使用する、するとまた、逆三角形のペーパー部分が現出する。
【符号の説明】
【０００９】１  トイレットペーパー
２  直線（水平）のミシン目
３  １５５°のミシン目
４  逆三角形のミシン目
５  ペーパーホルダーにセットする
６  ミシン目にそってカット
７  カット後のペーパーの形状
【産業上の利用可能性】
【００１０】  トイレットペーパーとして、ペーパーホルダーにセットして、又はキッチンペーパーとしても同様に使用でき、産業上の利用価値はある。
【図１】
0003161306.tif 000003
【図２】
0003161306.tif 000004
【図３】
0003161306.tif 000005
【図４】
0003161306.tif 000006
【図５】
0003161306.tif 000007
【図６】
0003161306.tif 000008
【図７】
0003161306.tif 000009
【図８】
0003161306.tif 000010
【図９】
0003161306.tif 000011
【図１０】
0003161306.tif 000012
(57)【要約】      （修正有）【課題】写真と装飾物とが長期間褪色や劣化を起こさず、また、分離を起こすことがなく展示でき、また、任意の時期に装飾物を取り換えることができる、装飾した写真パネルを提供する。【解決手段】写真２を樹脂板３で制作し、その表面の接着したい部分に、ホットメルト接着剤またはエポキシ接着剤を塗布し、その上に装飾物１ａ〜１ｄを物理的方法により接着する。これにより、写真上に装飾物が固定され、装飾した写真パネルとする。【選択図】図１
0003161325.tif 000002
【実用新案登録請求の範囲】
【請求項１】
表面に装飾物を物理的接着することで半永久的にその装飾を保持することを可能にした、または表面に装飾物を物理的接着することで必要に応じて装飾物を交換できる写真パネル
【請求項２】
物理的接着面積を増大させる表面加工をすることによって表面に装飾物を物理的接着しやすくし表面に装飾物を物理的接着することで半永久的にその装飾を保持することを可能にした、または物理的接着面積を増大させる表面加工をすることによって表面に装飾物を接着しやすくし表面に装飾物を物理的接着することで必要に応じて装飾物を交換できる写真パネル
【考案の詳細な説明】
【技術分野】
【０００１】    本考案は、装飾した写真パネルに関するものである。
【背景技術】
【０００２】    従来の装飾した写真パネルには、挟持シートによる装飾物の挟み込みと写真との組み合わせがある（例えば、特許文献１参照）。または、装飾した額と写真とを組み合わせたものがある（例えば、特許文献２参照）。
【先行技術文献】
【特許文献】
【０００３】
【特許文献１】特開２００７−１６０５３４号公報
【特許文献２】特開２００５−２８０３２３号公報
【考案の概要】
【考案が解決しようとする課題】
【０００４】    従来の装飾した写真パネルでは、写真と装飾物との分離が容易に起こるため、装飾を長期間保持できなかった。また、長期間劣化しない装飾物と比較して写真の色素の褪色や劣化が発生することも問題であった。
【課題を解決するための手段】
【０００５】    そこで写真を、特許公開２００２−１４９１０１の技術を応用して、樹脂板で製作し、その表面にホットメルト式接着剤によって接着して装飾することによって、写真と装飾物とが長期間褪色や劣化を起こさず、また、分離を起こすことがなく展示でき、また、任意の時期に装飾物を取り換えることができる、装飾した写真パネルを開発した。
【考案の効果】
【０００６】  本考案は、樹脂板で制作した写真の表面に直接、装飾物を装飾することになるため、複雑な装飾を施すことができるようになり、美感を向上させることができる。装飾物も長期間安定に保持されており、ホットメルト式接着剤による物理的接着であることから、樹脂板で制作した写真を変質させることなく接着でき、任意の時点で剥離、および再接着が容易である。これらのことから、写真を損なうことなく、任意の装飾物に付け替えながら、あるいは当初の装飾物の組み合わせのままで、半永久的に楽しむことが出来、不慮の事故で装飾物を欠いた場合、任意の装飾物を付け加えることで修復することが容易である。
写真図柄に対して特許公開２００２−１４９１０１の技術を応用することで、写真の色素が樹脂中に完全に封入されるため、写真に関して風化や褪色の進行はほとんどなく、また、樹脂板で制作した写真に物理的接着面積を増大させる表面加工を行えば、物理的接着の強度も十分となり、相当な力をもって行わなければ分離しないことから、半永久的に加飾したまま劣化しない状態での展示が可能であり、写真表面に接着した装飾物を交換または撤去したい場合には、任意の時期に、写真を損なうことなく交換または撤去を行うことができる、今までになかった装飾した写真パネルができた。
【図面の簡単な説明】
【０００７】
【図１】  本考案に係る斜面図の事例である。
【図２】  本考案に係る断面図（底面側）の事例である。
【符号の説明】１ａ  装飾物（プリザーブドフラワー）
１ｂ  装飾物（布）
１ｃ  装飾物（ボタン）
１ｄ  装飾物（樹脂製小物）
２    透明プラスチックの中に封入された写真図柄
３    透明プラスチック
４    くさび型アンカー法接着剤
【考案を実施するための最良の形態】
【０００８】    写真を樹脂板で制作し、その表面の接着したい部分に、ホットメルト接着剤またはエポキシ接着剤を塗布し、その上に装飾物を物理的方法により接着する。これにより、写真上に装飾物が固定され、装飾した写真パネルとなる。
【図１】
0003161325.tif 000003
【図２】
0003161325.tif 000004
(57)【要約】      （修正有）【課題】１本で、切る、抜く、集める、という機能を持ち、効率よく作業ができて、疲労を軽減する立ち草刈鎌を提供する。【解決手段】長柄６と長柄先端に装着した刃体１とで構成され、刃体の先端部に平刃２、平刃に直列に三角刃３を複数設ける。また、先端に反対側角には斜めに三角刃４を設ける。長柄と刃体との取り付け角度は、９０度から４５度位までが適当である。【選択図】図１
0003161324.tif 000002
【実用新案登録請求の範囲】
【請求項１】
四分円状の刃板前縁側に平刃を、そして平刃と直列に連続して複数の三角刃と三角刃間の溝を設け、「切る」「抜く」「集める」の機能を持たせた事を特徴とし、長柄を取り付けた草刈り鎌。
【請求項２】
前記複数の三角刃の中、先端平刃に反対位置の角に、刃板湾曲部に向けて斜めに三角の窪みを設けたことを特徴とする、請求項１に記載の長柄を取り付けた草刈り立ち鎌。
【考案の詳細な説明】
【技術分野】
【０００１】  本考案は、従来の立ち鎌に、「抜く」「集める」等の機能を付け加えたものである。
【背景技術】
【０００２】  従来庭の花木の下周りの雑草を除去する鎌の一つとして、特許文献１にあるような立ち鎌や、図３に示すような一般的な鎌を使用していたが、文献１のような鎌だと刈り取ることは出来ても、土が一緒に付いて来たりすることもあり、抜いた方が良いケースもある。また、一般的な鎌だと屈んだ姿勢で刈り、他方の手で抜かなければならない。そして両方とも刈った後の草を集めるのに、手で集めたり熊手を使用したりしていた。したがって効率が悪く、身体の疲労も激しかった。一方、芝の間から生えてくる様々な雑草を除去するには、図４のような引き抜き具を用いて、屈む姿勢で行っていたので、疲労が激しく、雑草が絶え間なく生えてくる時期には、除去に間に合わないほどであった。
【先行技術文献】
【特許文献】
【０００３】
【特許文献１】実願平６−１２６９０。
【考案の概要】
【考案が解決しようとする課題】
【０００４】  特許文献１や図３、図４に示すような一般的な鎌や引き抜き具は、花木の周りや芝の雑草を楽な姿勢で「切る」「抜く」「集める」機能を合わせ持っていない。そこで本考案は、一本の鎌にそれらの機能を合わせ持たせ、効率良く作業を行うと同時に、作業による身体の疲労を軽減する簡単な鎌を提供する。
【課題を解決するための手段】
【０００５】  鎌板本体１の先端に平刃２と連続して複数の三角刃３を、先端に反対の角に三角刃４を設け、鎌板上部角に、長柄に取り付ける鎌板と一体の突起部分５を、それに長柄６を設ける構成とする。また、刃部分には焼き入れを施し、雑草の土中根をも切れるように堅固な物とする。
【考案の効果】
【０００６】  上述のように、本考案の立ち草刈り鎌は、庭の花木の周り、あるいは芝の間から生えてくる様々な雑草を、一本で楽な姿勢でしかも効率よく刈り取る事が出来る。又、刃本体の角に三角の溝を設ける事により、狭い部分の雑草の引き抜きも出来るようにした。
【図面の簡単な説明】
【０００７】
【図１】本考案の草刈鎌の一つの実施例を示す斜視図である。
【図２】鎌板の平面図である。
【図３】一般的な草刈鎌。
【図４】一般的な草抜き具。
【考案を実施するための形態】
【０００８】  立ち姿勢で、庭の花木の周りや芝の雑草の根を切ったり、抜いたり、そして集める。また、鎌板を通常の状態で使用した時に、刈り取れない溝とかブロック塀際等の狭い場所は、刃部角の三角部分で抜き取る。
【実施例】
【０００９】  以下、図１に沿って実施例を説明する。本実施例の草刈鎌は、鎌板１と継ぎ手５、長柄６とで構成されている。【００１０】  鎌板１は四分円形状の薄い鋼板で、刃先端に平刃２を、連続して複数の三角刃３を設ける。また刃部最後部の三角刃４は、角に、鎌板上方湾曲部に向かって斜めに三角の窪みイが出来るように設けている。【００１１】  前記鎌板の鋼板の厚さは、一般的な立ち鎌に準じるが、焼き入れを施し長期間の使用に耐え得る強固なものなっている。【００１２】  三角刃と三角刃間の窪みは、雑草の茎や葉を引っ掛けて抜く機能を持たせる為、刃は設けていない。【００１３】  柄６は木製で、鎌板１と同一体の継ぎ手５で強固に接続している。また鎌板と柄の接続位置は刃板横上部とし、角度Ａは９０度から様々な角度が考えられるが、本考案の実施例では立ち姿勢で柄を持った時に、鎌板の平面が地面に並行に接するように５５度としている。【００１４】  本実施例の草刈鎌を使う場合は、花木周りや芝の雑草を先ずは三角刃間の窪みで引き抜き、引き抜けない草は２の平刃や３の複数三角刃で、土中の根を切り三角刃で引き抜きそして集める。また溝などの狭い場所の雑草は、刃体角の斜めの窪みで引き抜く。【００１５】  以上、本考案の実施例を詳述したが、その具体的構成はこの実施例に限らず、本考案の要旨を逸脱しない範囲における設計変更等があっても本考案に含まれる。例えば、実施例では鎌板の材質について金属製の板、柄には木製を使用しているが、セラミック等の硬質な樹脂、アルミ等他の金属類でも使用可能である。また、鎌板の大きさや柄の長さ、あるいは鎌板と柄の接続位置や角度等もいろいろ可能である。
【符号の説明】１  鎌
２  平刃
３  三角刃
４  三角刃
５  柄継ぎ手
６  長柄
イ  窪み
Ａ  鎌板と柄の角度
【図１】
0003161324.tif 000003
【図２】
0003161324.tif 000004
【図３】
0003161324.tif 000005
【図４】
0003161324.tif 000006
(57)【要約】      （修正有）【課題】大判タオルがナップザックに変形し、その中に水着や小物を入れることができるようにしたナップサックを提供する。【解決手段】手提げ肩掛け背負いができる開閉可能な巾着袋を用意する。裏返した巾着袋を大判タオル本体裏面４の左側上部に縫い付ける。大判タオル本体を巾着袋に入れ込みながら裏返すと巾着袋にタオル本体をすべて入れることができる。これによりナップザックとして使用できる。タオルとして使用する場合は中のタオルを引き出せばよい。これにより大判タオルがナップザックに変形できるようになる。【選択図】図３
0003161322.tif 000002
【実用新案登録請求の範囲】
【請求項１】
手提げ肩掛け背負いができる開閉可能な巾着袋を裏返し、大判タオルの裏面の特定の位置に縫い付けるることで、縫い付けた巾着袋に大判タオルを入れ込むことが可能となった特徴を有するバスタオルとして使用できる手提げ肩掛け背負い兼用のナップザック。
【考案の詳細な説明】
【技術分野】
【０００１】本考案は１枚の大判タオルとタオル地素材の巾着袋を工夫して組み合わせることで、ナップザックがタオルに変形できるようにしたファッション性をそなえたタオル地製ナップザックに関するものである。
【考案の概要】
【考案が解決しようとする課題】
【０００２】海水浴やプールに行く際に大判タオルは必需品である。大判タオルはかさばるために大きな荷物になる場合が多い。
【考案が解決するための手段】
【０００３】上部に紐３を通すための空間を施し、通した紐を底部に縫いつけた巾着袋を用意する。裏返した巾着袋を大判タオル裏面４の左隅に沿って縫い付ける。また巾着袋の横幅は大判タオルの横幅の半分以下にすることでタオルを巾着袋に入れ込みやすいようにした。
【考案の効果】
【０００４】大判タオル自体がナップザックに変形するため、従来に比べ、別にかばんを用意する必要がなくなり、かつ水着など海水浴グッズをひとつにまとめることができ、荷物の総量を減らすことができる。またタオルとナップザックの変形も容易にできるため子供でも使用できるようにした。
【図面の簡単な説明】
【０００５】
【図１】巾着袋の図面である
【図２】巾着袋を裏返した状態の図面である
【図３】タオル裏面に裏返した巾着袋を縫いつけた図面である
【図４】巾着袋の立面図である
【図５】使用時の参考図である
【考案を実施するための形態】
【０００６】以下、本考案の実施の形態を図示に基づいて説明する。図１は開閉可能なタオル地製巾着袋である。これを裏返した状態が図２である。図２の状態の巾着袋をタオル裏面に縫い付けたのが図３である。その際図３からみて上縁部、下縁部、右縁部、左縁部すべてに縫い付けるが、左縁部は巾着袋の開閉口のタオルと密着する部分のみ縫い付ける。
【０００７】本考案にかかるタオル地製ナップザックの使用に際して、タオルをナップザックに変形させる場合は図３からみて巾着袋を裏返すだけでよい。図４の状態にして紐３を引けば開閉口は閉じられる。またナップザックをタオルに変形させる場合は図４からみて中身を取り出すだけでよい。さらにタオル本体をレジャーシートとして使用する場合、図３からみて巾着袋の部分に貴重品を収納できるため防犯対策としても有効である。
【符号の説明】１  巾着袋本体表面
２  巾着袋本体裏面
３  紐
４  タオル本体裏面
【図１】
0003161322.tif 000003
【図２】
0003161322.tif 000004
【図３】
0003161322.tif 000005
【図４】
0003161322.tif 000006
【図５】
0003161322.tif 000007
(57)【要約】【課題】小鳥の模型が爪楊枝を取り出す際に体内に埋め込んだＬＥＤが発光と同時にピーピーと鳴くようにする事である。【解決手段】支点を軸として上下に回動するレバーノブと，バネ付勢に抗してレバーノブを押し下げると，これに連動して開かれる爪楊枝室の蓋と，同じく前傾して爪楊枝をつまむ模型の小鳥と，同じくＯＮするスイッチと，スイッチがＯＮしたとき作動する模型の鳥の鳴き声発生装置とよりなる爪楊枝を摘み取る小鳥装置。【選択図】図１
0003161314.tif 000002
【実用新案登録請求の範囲】
【請求項１】
支点を軸として上下に回動するレバーノブと，バネ付勢に抗してレバーノブを押し下げると，これに連動して開かれる爪楊枝室の蓋と，同じく前傾して爪楊枝をつまむ模型の小鳥と，同じくＯＮするスイッチと，スイッチがＯＮしたとき作動する模型の鳥の鳴き声発生装置とよりなる爪楊枝を摘み取る小鳥装置。
【考案の詳細な説明】
【技術分野】
【０００１】本考案は小鳥の模型が爪楊枝を嘴で摘み取る時にその体内に埋め込んだ２個の発光ダイオード電球（以下ＬＥＤと云う）を点灯させ、同時に小鳥の鳴き声を発する装置に関するものである。
【背景技術】
【０００２】既にあるものは爪楊枝を小鳥の模型が嘴で喰えて取り出すだけであり、取り出す時に小鳥の模型の体が発光したり鳴声を発すものではなかった。
【考案の概要】
【考案が解決しようとする課題】
【０００３】本考案の課題は、爪楊枝収納室に入っている爪楊枝を模型の小鳥が嘴で摘み取る時にその体内に埋め込んだＬＥＤを点灯させ、同時に小鳥の鳴き声を発する装置によって、小鳥の鳴き声が聞こえるようにすることにある。
【課題を解決するための手段】
【０００４】上記課題を解決するために，本考案が提供する爪楊枝を摘み取る小鳥装置は支点を軸として上下に回動するレバーノブと，スプリング付勢に抗してレバーノブを押し下げると，これに連動して開かれる爪楊枝室の蓋と，同じく前傾して爪楊枝をつまむ模型の小鳥と，同じくＯＮするスイッチと，スイッチがＯＮしたとき作動する模型の小鳥の鳴き声発生装置とよりなるものである。
【考案の効果】
【０００５】本考案においてはスイッチによる通電で爪楊枝を摘む小鳥の模型の体内ＬＥＤが発光し、且つ鳴声装置にも通電するので鳴く音が聞こえる。
【図面の簡単な説明】
【０００６】
【図１】爪楊枝を摘み取る小鳥の模型の構成図
【図２】本考案の作動図
【考案を実施するための形態】
【０００７】以下本考案の実施例を図１によって説明する。本実施例は長方形の箱ケース１の中心にその対角線となる様にレバー３を設置し、レバーノブ４の上下運動に本考案に関連する以下の運動が連動するものである。レバー３の支点の前方と箱ケース１の床をレバー引戻しスプリング２２で繋ぎ、その伸縮力で、下げたレバー３を上に戻し、全ての仕掛けを元の位置に戻すようにしたものである。
ア）爪楊枝収納室のふた９の開閉
爪楊枝収納室のふた９を開閉するにはふた開閉ロッド６を上下させる事である。レバーノブ４の上下によりレバー３の先端に取り付けたふた開閉ロッドコネタースピンドル８を以てレバー３に繋いだふた開閉ロッド６が上下し、爪楊枝収納室のふた９を開閉させます。なお当該ロッド６の上部は箱ケース１に取付けた、ふた開閉ロッドスタビライザー７を通して垂直性を確保している。ふた開閉ロッド６の先端は爪楊枝収納室のふた９に接する箇所を滑り安くするため曲げてあり、爪楊枝収納室のふた９の開閉を容易にしている。
イ）爪楊枝押上板１１の上下。
レバーノブ４を下げる事でレバー３の支点より前方に設置した爪楊枝押上板１１を押上げて、前傾してきた模型の小鳥の嘴に爪楊枝を押し込む。レバー３に埋め込んだ爪楊枝板引下げ磁石１２が、押し上げられた爪楊枝押上板１１に取付けた磁石対応金属１３を引付け、同板の下げ運動を起し、これを引下げる。
ウ）模型の小鳥の動作
箱ケース１の上に付けた模型の小鳥の足に、模型の小鳥の支点スピンドル１４を通して模型の小鳥の回転軸とし、箱ケース１の中の模型の小鳥の足は二つに別れ、その中心をレバー３に固定した模型の小鳥の回転制御ピン支え板１５に設置した模型の小鳥の回転制御ピン１６を挟み模型の小鳥の頭の前傾を調整する。
エ）電気関係のスイッチ
レバーノブ４を上下させる事により、レバー３にスイッチロッドスタビライザー１７で繋いだスイッチロッドカバースプリング１９で被われたスイッチロッド１８を前後に動かし、スイッチロッドカバースプリング１９の伸縮を以てスイッチロッド１８の上下運動を調節しながらスイッチ板２０の上を滑らせ当該スイッチ板２０の固定されない側を上下させ、通／切電させる。
【０００８】爪楊枝を取り出す時、模型の小鳥の体内に埋め込んだＬＥＤが発光し、且つピーピーと鳴くので目を楽しませ、子供を喜ばる事が出来る。
【０００９】居酒屋等のレジで精算時に客にレバーノブ４を下げさせ、この装置に色違いの爪楊枝数本入れて置いて、それを小鳥の模型が喰え出すと当たりくじとして幾らかの代金割引きが得られる楽しみサービスができる。
【００１０】食堂等で爪楊枝をサービスする時にテーブル上に置いておくと楽しめる。
【００１１】ホームパーティ等で交換プレゼントのくじ引きとして利用できる。
【符号の説明】
【００１２】１  箱ケース
２  レバー支点の支え板
３  レバー
４  レバーノブ
５  レバー支点ロッド
６  ふた開閉ロッド
７  ふた開閉ロッドスタビライザー
８  ふた開閉ロッドコネクタースピンドル
９  爪楊枝収納室のふた
１０  爪楊枝収納室
１１  爪楊枝押上板
１２  爪楊枝板引下げ磁石
１３  磁石対応金属
１４  模型の小鳥の支点スピンドル
１５  模型の小鳥の回転制御ピン支え板
１６  模型の小鳥の回転制御ピン
１７  スイッチロッドスタビライザー
１８  スイッチロッド
１９  スイッチロッドカバースプリング
２０  スイッチ板
２１  電気（＋）（−）接続ビス
２２  レバー引戻しスプリング
【図１】
0003161314.tif 000003
【図２】
0003161314.tif 000004
(57)【要約】【課題】  車両バック時のアクセル操作を耳からの情報だけではなく，視覚へ訴求するフラッシュｌｅｄの設置により，踏み違い事故を減少させる装置である．【解決手段】  ｌｅｄフラッシュランプをドアミラ−双方及びブレ−キランプ内側に設置する事により，バックギヤのアクセル操作時にフラッシュランプが点滅し，車両の後退を視覚的に訴え事故を減らすものである．【選択図】図２
0003161313.tif 000002
【実用新案登録請求の範囲】
【請求項１】
車両をバックギアにいれた時のみ作動するもので，そのときアクセルを踏むとｌｅｄのフラッシュランプが点滅し運転者に警告を発する電気回路のシステム
【考案の詳細な説明】
【考案の詳細な説明】
【技術分野】
【０００１】この考案は車両のアクセルペダルと警告ランプを電気的に連結する回路にしたものである．
【背景技術】従来は車両バック時にブザ−が鳴って知らせるものであった．
【考案が解決しようとする課題】
これまでの車両のバックギヤの認知はブザ−のみで，その状態でアクセルを踏み込んでも，何らの認知手段もとられていなかった．又，上背のない人はバック時に後方に反り返るため，右足の踏み位置がずれることにより，アクセルとブレ−キを踏み間違える事故が多発したと推測される．本考案はこれらの欠点を少しでも補う為になされたものである．
【課題を解決する為の手段】
車両をバックギヤにいれた時に，バックブザ−が鳴り，この時アクセルを踏むと室内のブレ−キランプ裏に設置した警告ｌｅｄが高速で点滅し，アクセル動作を運転者に知らしめることによって，誤動作を減らし事故の減少を目指す．
【考案を実施するための形態】
バックギヤ設定の際にブザ−と本案の警告ｌｅｄの回路が同時に作動し，さらにアクセルペダルを踏むことによって警告ｌｅｄが作動するように回路を設定する．
【考案の効果】
ｌｅｄ警告ランプはバック作動時体をひねることによって足のペダル位置がずれる為の事故を減らし，安全運転に多く寄与するものと考えられる．
【図面の簡単な説明】
【図１】説明図１はフラッシュ式警告ランプの設置場所で，両サイドのドアミラ−内側，リヤウインドのブレ−キランプの内側に取付ける．
【図２】説明図２は電気回路の仕組みを，単純化してコ−ド化したものである．
【図１】
0003161313.tif 000003
【図２】
0003161313.tif 000004
(57)【要約】      （修正有）【課題】吐出水の圧力を落とすことなく、水の消費量を減少させる水洗トイレに用いる節水調整具を提供する。【解決手段】ロータンク内のフロートバルブのチェーンを貫通させる孔をもつ調整錘と、フロートバルブと調整錘を密着させる固定ピンからなる。【選択図】図２
0003161316.tif 000002
【実用新案登録請求の範囲】
【請求項１】
ロータンク式のトイレにおいて、フロートバルブを引き上げるチェーンを貫通させる孔をもった調整錘と、フロートバルブと調整錘を密着させる固定ピンによって構成される節水調整具。
【考案の詳細な説明】
【考案が解決しようとする課題】
【０００１】  従来、水洗トイレを使用する際に消費される水量は、ロータンクの中の水位を下げることによって調整されている。この場合は便器への吐出水の初期圧力は低下し、水洗効果が減少してしまう可能性がある。このような初期圧力の低下を防ぎ、かつ簡便に既存トイレに取り付けられる節水の仕組みが望まれる。全戸、全施設において水洗トイレで使われる水を合計すれば莫大な量になる。トイレメーカーが責任を問われることなく、各戸、各施設が利用者の責任で、使用満足度の範囲内で簡便に節水できる工夫が期待される。このことは各戸、各施設の経費節減に効果があるだけでなく、地域全体の水不足対策、また下水処理施設の処理負荷を下げることによって今日大きな社会的課題になっている大気中二酸化炭素削減にも効果がある。本考案の解決しようとする課題は、既存のロータンク式水洗トイレにおいて、吐出水の圧力を落とすことなく、トイレ利用者サイドで簡単に取り付けられる消費水量調整具の考案によって、トイレ利用による水消費量を減少させ、経費の削減、水不足の解消、大気中の二酸化炭素削減に資することである。
【課題を解決するための手段】
【０００２】  ロータンク式のトイレにおいて、ロータンクの上に円筒形の調整錘を乗せる。この調整錘の軸方向に孔が明いており、この孔にロータンクと結ばれているチェーンを通し、また調整錘の頂上にチェーンを貫通する固定ピンを取り付けて調整錘とフロートバルブを密着させ互いに離れないようにする。
【考案の効果】
【０００３】  ロータンク式のトイレにおいてレバーを手動で引くと、吐出レバーに繋がるチェーンによって吐出口を塞いでいたフロートバルブが水中に浮き上がり、吐出口が開いて水が便器に排出される。水が吐出している時間は、フロートバルブが水中に浮き上がってから、フロートバルブが沈降して再び吐出口を塞ぐ時間である。水中で浮力を受けるフロートバルブは、それに調整錘を乗せることにより、それが無い場合に比べて早い速度で沈降する。水の吐出時間はフロートバルブの沈降速度が大きいほど短くなる。従って、調整錘の重量を適切に選びフロートバルブの沈降速度を変えることにより、吐出水量の減少程度を調整することが出来る。
【図面の簡単な説明】
【図１】通常普及しているロータンクにおいて、便器に水が流れている状況下での本考案の調整錘の構成位置関係を示す。吐出レバーは固い先端が曲がった棒を解してチェーンに繋がっている。チェーンはフロートバルブに繋がっている。吐出レバーを引くとフロートバルブは水中に浮き、吐出レバーを放すとフロートバルブは沈んでもとの位置に戻り吐出口を塞ぐ。チェーンは調整錘の孔を貫通しているが、チェーンに固定ピンを通すことによって、調整錘とフロートバルブが離れない構造になっている。
【図２】チェーン、調整錘、及びフロートバルブの連結構造を断面図で示す。円筒形の調整錘には軸方向の孔が明いおり、フロートバルブに連結したチェーンがその穴を通る。また調整錘の頂上には、調整錘とフロートバルブが離れることを防ぐために、チェーンを貫いて固定ピンがついている。
【符号の説明】    １．吐水レバー    ２．チェーン    ３．固定ピン    ４．調整錘    ５．フロートバルブ    ６．吐水口    ７．ロータンク    ８．水位（ロータンクに貯まっている水面の高さ）
【図１】
0003161316.tif 000003
【図２】
0003161316.tif 000004
(57)【要約】【課題】幼稚園、保育園等の通用口用門扉に設置し園児が園内から道路側への飛び出しや抜け出しを防止出来る門扉錠を提供する。【解決手段】施錠レバー部（４）を欠円形状とした門扉錠を特徴とする。【選択図】図１
0003161317.tif 000002
【実用新案登録請求の範囲】
【請求項１】
施錠レバー（４）を欠円形状とした門扉錠
【考案の詳細な説明】
【技術分野】
【０００１】施錠用レバーを欠円形状にした門扉錠である。
【背景技術】
【０００２】従来可倒式門扉錠の施錠レバーは長方形形状をしていた。
【考案の概要】
【考案が解決しようとする課題】
【０００３】従来の長方形施錠レバーの門扉錠にあっては門扉の隙間から指等でレバーを持ち上げ簡単に解錠できてしまい危険である。
【課題を解決するための手段】
【０００４】施錠レバーの形状を欠円形状とし門扉の隙間から指等で簡単に持ち上げ解錠出来ないようにした。
【考案の効果】
【０００５】本考案による門扉錠を保育園、幼稚園等の通用門に使用すれば園庭側から簡単に解錠できないため園児の飛び出しや抜けだしが防止でき安全である。
また意匠的にも美しい。
【図面の簡単な説明】
【０００６】
【図１】本発明の施錠状態の正面図である。
【図２】本発明の解錠状態の正面図である。
【図３】本発明の施錠状態の平面図である。
【符号の説明】
【０００７】１    門扉錠
２    門扉
３    門柱
４    施錠レバー
５    固定座
６    取手
７    施錠レバー受金具
８    ストッパー
【図１】
0003161317.tif 000003
【図２】
0003161317.tif 000004
【図３】
0003161317.tif 000005
(57)【要約】      （修正有）【課題】回路基板を利用せずに、使用でき、また、体積が小さくて、歩留まりがよく、容易に生産される効果が得られる画像集積回路構造を提供する。【解決手段】画像処理グレイン１と、画像処理グレインの一面に設置される導電層２と、画像処理グレイン１のもう一面に設置される多数の第一光学ユニット３と、各第一光学ユニットの一面に堆積される第二光学ユニット４とにより構成する。【選択図】図１
0003161334.tif 000002
【実用新案登録請求の範囲】
【請求項１】
画像処理グレインと、
画像処理グレインの一面に設置される導電層と、
画像処理グレインのもう一面に設置される多数の第一光学ユニットと、
各第一光学ユニットの一面に堆積される第二光学ユニットと、
が含有される、ことを特徴とする画像集積回路構造。
【請求項２】
上記導電層は、シリコン穿孔技術を利用して、画像処理グレインの一面において、導電配線をレイアウトすることを特徴とする請求項１に記載の画像集積回路構造。
【請求項３】
上記第一と第二光学ユニットは、フレネルレンズであることを特徴とする請求項１に記載の画像集積回路構造。
【考案の詳細な説明】
【技術分野】
【０００１】
本考案は、画像集積回路構造に関し、特に、回路基板を利用せずに、使用でき、また、体積が小さくて、歩留まりがよく、容易に生産されるものに関する。
【背景技術】
【０００２】
一般の、従来の画像集積回路は、作製される時、まず、関係するウェーハに、R、G、B Cellの検知構造を形成して、ウェーハにおいて、多数のグレインを定義し、また、ウェーハを分断して、一つのグレインを構成し、そして、上記グレインの一面に、第一光学ユニットを堆積した後、COBやWLCSPの方式により、上記グレインを、基板（例えば、回路基板やシリコン基板）に電気的に接続し、最後に、第一光学ユニットの一面に、第二光学ユニットを堆積することにより、画像集積回路が作製される。
【０００３】
しかしながら、上記の方式によって作製された画像集積回路構造は、上記グレインが、基板に合わせて作製されて使用されるため、上記画像集積回路構造を作製する時の手順が、複雑になり、作製された後の体積も相対的に大きくなり、また、歩留まりが悪いため、一般の、従来の画像集積回路構造は、実用的とは言えない。
【０００４】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００５】
本考案の主な目的は、回路基板を利用せずに、使用でき、また、体積が小さくて、歩留まりがよく、容易に生産される画像集積回路構造を提供する。
【課題を解決するための手段】
【０００６】
本考案は、上記の目的を達成するための画像集積回路構造であり、画像処理グレインと、画像処理グレインの一面に設置される導電層と、画像処理グレインのもう一面に設置される多数の第一光学ユニットと、各第一光学ユニットの一面に堆積される第二光学ユニットと、が含有される。
【０００７】
以下、図面を参照しながら、本考案の特徴や技術内容について、詳しく説明するが、それらの図面等は、参考や説明のためであり、本考案は、それによって制限されることが無い。
【図面の簡単な説明】
【０００８】
【図１】本考案の断面状態概念図
【図２】本考案の画像処理グレインに導電層が形成された時の断面状態概念図
【図３】本考案の第一光学ユニットが設置された状態の概念図
【図４】本考案の第二光学ユニットが設置された状態の概念図
【考案を実施するための形態】
【０００９】
図１は、本考案の断面状態概念図である。図のように、本考案は、画像集積回路構造であり、少なくとも、画像処理グレイン１と導電層２、多数の第一光学ユニット３及び第二光学ユニット４から構成される。
【００１０】
上記の画像処理グレイン１は、COMOS検知器やCCD検知器であっても良い。
【００１１】
上記導電層２は、画像処理グレイン１の一面に設置される。
【００１２】
各第一光学ユニット３は、画像処理グレイン１のもう一面に設置され、その中、各第一光学ユニット３は、凸レンズや凹レンズ或いはフレネルレンズである。
【００１３】
上記第二光学ユニット４は、各第一光学ユニット３の一面に堆積され、その中、上記第二光学ユニット４は、凸レンズや凹レンズ或いはフレネルレンズである。上記の構造により、新規の画像集積回路構造が構成される。
【００１４】
図２と図３及び図４は、それぞれ、本考案に係る画像処理グレインに、導電層が形成された時の断面状態概念図と本考案の第一光学ユニットを設置した状態の概念図及び本考案の第二光学ユニットを設置した状態の概念図である。図のように、本考案によれば、まず、関係するウェーハに、検知構造を作製し（例えば、R、G、B Cellを作製し、図に未表示）、これにより、ウェーハにおいて、多数の画像処理グレイン１を定義し、また、分断することにより、画像処理グレイン１が構成され、そして、上記画像処理グレイン１の一面において、シリコン穿孔技術により、導電層２を形成して、必要とする導電配線をレイアウトし、また、上記導電層２は、画像処理グレイン１の回路レイアウトではなく、ただ、配線伝導として使用され、その後、上記画像処理グレイン１のもう一面に、多数の第一光学ユニット３を設置し、最後に、各第一光学ユニット３の一面に、第二光学ユニット４を堆積し（図１のように）、これにより、上記画像処理グレイン１を作製する時、回路基板にあわせず、使用でき、また、体積が小さくて、歩留まりがよく、容易に生産される効果が得られる。
【００１５】
以上のように、本考案に係る画像集積回路構造は、有効に、従来の諸欠点を解消でき、回路基板を利用せず、使用でき、また、体積が小さくて、歩留まりがよく、容易に生産される効果が得られる。
【００１６】
そのため、本考案は、より進歩的かつより実用的で、法に従って実用新案登録請求を出願する。
【００１７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００１８】
１  画像処理グレイン
２  導電層
３  第一光学ユニット
４  第二光学ユニット
【図１】
0003161334.tif 000003
【図２】
0003161334.tif 000004
【図３】
0003161334.tif 000005
【図４】
0003161334.tif 000006
(57)【要約】      （修正有）【課題】電子製品に使用する薄型化した連結器を提供する。【解決手段】ケース２０と、複数の端子２２とによって構成する。ケースの所定の部分は、端子と係合される複数の被係合部２０２が形成され、各端子の所定の側壁は、スタンピング成形によって係合部２２０が形成され、係合部と被係合部は係合される。この係合部は端子の側辺の壁面に配置されるため、連結器全体の厚さが縮小され、薄型化の構造を達成することができる。【選択図】図３
0003161335.tif 000002
【実用新案登録請求の範囲】
【請求項１】
ケースと、複数の端子とによって構成し、
ケースの所定の部分には、端子と係合される複数の被係合部が形成され、各端子の所定の側壁には、被係合部に係合される少なくとも一つの係合部が形成されることを特徴とする連結器。
【請求項２】
該各端子の所定の側壁は、延伸して、該係合部を有する凸部を形成することを特徴とする、請求項１に記載の連結器。
【請求項３】
該係合部は、該凸部と対向する該被係合部の壁面に位置決めされることを特徴とする、請求項２に記載の連結器。
【請求項４】
該係合部は、スタンピング成形によって形成されることを特徴とする、請求項１または請求項２に記載の連結器。
【考案の詳細な説明】
【技術分野】
【０００１】
本考案は連結器に関し、特に薄型化した連結器に関する。
【背景技術】
【０００２】
科学技術が日増しに進歩するにつれて、電子製品の体積は次第に小さく且つ薄くなってきている。図１は、従来の連結器の構造を示している。その連結器１は、ケース１０と端子１２とによってなる。端子１２の頂面は係合部１２０を形成し、この係合部１２０によってケース１０と係合される。係合部１２０は、各端子１２の頂部に配置されているため、連結器１全体の厚みが増し、それにより、連結器１を使用する電子製品は、連結器１を設置するための充分な空間が必要になる。
【考案の概要】
【考案が解決しようとする課題】
【０００３】
上述の欠点に鑑み、本考案は、薄型化した連結器を提供することを目的とする。
【課題を解決するための手段】
【０００４】
本考案による連結器は、ケースと、複数の端子とによって構成する。ケースの所定の部分は、端子と係合される複数の被係合部が形成され、各端子の所定の側壁は、スタンピング成形によって係合部が形成され、係合部と被係合部は係合される。この係合部は端子の側辺の壁面に配置されるため、連結器全体の厚さが縮小され、薄型化の構造を達成することができる。
【図面の簡単な説明】
【０００５】
【図１】従来の連結器の構造を示した説明図である。
【図２】本考案の実施例１の外観を示した斜視図である。
【図３】本考案の実施例１の構造を示した分解図である。
【図４】本考案の端子の係合部とケースの被係合部を結合した状態を示した説明図である。
【図５】本考案の実施例２の端子を示した斜視図である。
【図６】図５の端子を結合させた状態を示した説明図である。
【考案を実施するための形態】
【０００６】
（実施例１）
図２と図３は、それぞれ、本考案の実施例１を示した斜視図及び分解図である。本考案による連結器２は、ケース２０と、複数の端子２２とによって構成する。ケース２０の所定の部分には、端子２２と係合される複数の被係合部２０２が形成され、各端子２２の所定の側壁には、スタンピング成形によって係合部２２０が形成され、係合部２２０と被係合部２０２は係合される。係合部２２０を、端子２２の側辺の壁面に設けることが、本考案の主な特徴である。
【０００７】
ここで、本考案を使用した際の状態を以下に説明する。図４は、本考案の端子の係合部とケースの被係合部を結合した状態を示した説明図である。図から分かるように、各端子をケース内に結合させる時、各端子２２の側辺の壁面に配置された係合部２２０と、ケース２０上の被係合部２０２が係合される。係合部２２０は、端子２２の側辺に配置するため、従来における係合部２２０を端子２２の頂部に配置する構造の欠点を改善し、連結器２全体の厚さを縮小して薄型化の構造を達成することができる。
【０００８】
（実施例２）
図５は、本考案の実施例２の端子を示した斜視図であり、図６は、図５の端子を結合させた状態を示した説明図である。図から分かるように、各端子２２ａの所定の側壁は、延伸して凸部２２２ａを形成し、凸部２２２ａは延伸して係合部２２０ａを形成する。また、係合部２２０ａは、凸部２２２ａと対向するケース２０ａの被係合部２０２ａの壁面に位置決めされる。この構造により、係合する位置を延ばすことができ、しかも連結器２ａの厚みに影響を与えない。
【符号の説明】
【０００９】
１        連結器
１０      ケース
１２      端子
１２０    係合部
２、２ａ  連結器
２０、２０ａ  ケース
２０２、２０２ａ  被係合部
２２、２２ａ  端子
２２０、２２０ａ  係合部
２２２ａ  凸部
【図１】
0003161335.tif 000003
【図２】
0003161335.tif 000004
【図３】
0003161335.tif 000005
【図４】
0003161335.tif 000006
【図５】
0003161335.tif 000007
【図６】
0003161335.tif 000008